(57)【要約】      （修正有）【課題】対向する基板を備え、一方向に突出した一方の基板の突出部上に２個の駆動用の半導体チップが直列的に搭載された液晶表示装置において、突出部の突出長を小さくする。【解決手段】基板１の対向基板２から突出された１つの突出部１ａ上には走査ライン６を駆動する半導体チップ１１、およびデータライン７を駆動する半導体チップ１２が直列的に搭載されている。表示領域３に行方向に延びて設けられた走査ライン６のほぼ上半分は引き廻し線１３を介して一方の半導体チップ１１の第１の出力端子に接続されている。走査ライン６のほぼ下半分は引き廻し線１４、および突出部１ａ上の他方の半導体チップ１２下に設けられた引き廻し線１５を介して一方の半導体チップ１１の下面に設けられた第２の出力端子に接続されている。表示領域３の左側に設けられた引き廻し線１３の突出部１ａ上における配置領域を比較的小さくすることができる。【選択図】図１
2008262197.tif 000002
【特許請求の範囲】
【請求項１】
互いに対向して配置された一対の第１の基板、および第２の基板を備え、
対向して配置された前記第１の基板と前記第２の基板とによって表示領域が形成され、該表示領域において、前記第１の基板の、前記第２の基板との対向面上に複数の第１ラインおよび複数の第２ラインが行方向および列方向に延びて設けられ、
前記第１の基板の、前記第２の基板との対向面上に、前記第１ラインを駆動するための、１個の第１の半導体チップと、前記第２ラインを駆動するための、１個の第２の半導体チップと、が搭載される表示装置において、
前記第１の基板は、前記第２の基板に対して列方向の一辺部が突出した突出部を有し、
該突出部に前記第１ラインを駆動するための１個の第１の半導体チップと、前記第２ラインを駆動するための１個の第２の半導体チップと、が行方向に直列的に搭載され、
前記第１の基板は、前記表示領域の行方向両側に設けられた、前記第１ラインに接続される第１の引き廻し線、および第２の引き廻し線と、前記第２の半導体チップ下に設けられた第３の引き廻し線と、を備え、
少なくとも前記第１の半導体チップは、複数の出力端子を有し、
前記表示領域の行方向一方側に設けられた前記第１の引き廻し線は、前記第１の半導体チップの、前記複数の出力端子の、一部の第１の出力端子に接続され、
前記表示領域の行方向他方側に設けられた前記第２の引き廻し線は、前記第３の引き廻し線に接続され、該第３の引き廻し線を介して前記第１の半導体チップの、前記複数の出力端子の、前記第１の出力端子を除く第２の出力端子に接続されていることを特徴とする表示装置。
【請求項２】
請求項１に記載の発明において、
前記第１の半導体チップにおける前記第１の出力端子は、前記表示領域の行方向に平行な２辺のうち、前記表示領域に近接した側の一方の辺に沿い、前記表示領域の行方向一方側に形成され、
前記第２の出力端子は、前記表示領域の行方向に平行な２辺のうち、前記表示領域から離間した側の他方の辺に沿い、前記表示領域の行方向他方側に形成されていることを特徴とする表示装置。
【請求項３】
請求項２に記載の発明において、
前記第１の半導体チップの前記他方の辺の、前記表示領域の行方向一方側に入力端子が設けられていることを特徴とする表示装置。
【請求項４】
請求項１に記載の発明において、
前記第１の半導体チップにおける前記第１の出力端子は、前記表示領域の行方向に平行な２辺のうち、前記表示領域に近接した側の一方の辺に沿い、前記表示領域の行方向一方側に形成され、
前記第２の出力端子は、前記表示領域に近接した側の一方の辺に沿い、前記表示領域の行方向他方側に形成されていることを特徴とする表示装置。
【請求項５】
請求項４に記載の発明において、
前記第１の半導体チップの前記他方の辺の、前記表示領域の行方向一方側に入力端子が設けられていることを特徴とする表示装置。
【請求項６】
請求項４に記載の発明において、
前記第１の半導体チップの前記他方の辺の、前記表示領域の行方向他方側に入力端子が設けられていることを特徴とする表示装置。
【請求項７】
請求項１に記載の発明において、
前記第１の半導体チップにおける前記第１の出力端子は、前記表示領域の行方向に平行な２辺のうち、前記表示領域から離間した側の他方の辺に沿い、前記表示領域の行方向一方側に形成され、
前記第２の出力端子は、前記表示領域の行方向に平行な２辺のうち、前記表示領域に近接した側の一方の辺に沿い、前記表示領域の行方向他方側に形成されていることを特徴とする表示装置。
【請求項８】
請求項７に記載の発明において、
前記第１の半導体チップの前記他方の辺の、前記表示領域の行方向他方側に入力端子が設けられていることを特徴とする表示装置。
【請求項９】
請求項１に記載の発明において、
前記第２の半導体チップは、複数の出力端子を有し、
該第２の半導体チップの出力端子は、前記表示領域の行方向に平行な２辺のうち、前記表示領域に近接した側の辺に沿って形成されて、前記第２ラインに接続され、前記表示領域から離間した側の他方の辺に沿って入力端子が設けられていることを特徴とする表示装置。
【請求項１０】
請求項１に記載の発明において、
前記第３の引き廻し線は、前記突出部上の前記第２の半導体チップの列方向中央部下に設けられていることを特徴とする表示装置。
【請求項１１】
請求項１に記載の発明において、
前記第１ラインは走査ラインであり、
前記第２ラインはデータラインであることを特徴とする表示装置。
【請求項１２】
請求項１に記載の発明において、
前記第１の引き廻し線は、前記複数の第１ラインの半数に接続され、前記第２の引き廻し線は、前記複数の第１ラインの残りの半数に接続されていることを特徴とする表示装置。
【請求項１３】
請求項１に記載の発明において、
前記第１の引き廻し線は、前記複数の第１ラインの偶数ライン、又は、奇数ライン、の何れか一方に接続され、前記第２の引き廻し線は、前記複数の第１ラインの偶数ライン、又は、奇数ライン、の他方に接続されていることを特徴とする表示装置。
【発明の詳細な説明】
【技術分野】
【０００１】
この発明は液晶表示装置等の表示装置に関する。
【背景技術】
【０００２】
従来の液晶表示装置は、例えば図７に示すように、互いに対向して配置された一対の基板１０１、１０２を備え、基板間のシール材１０３によって囲まれた領域内に液晶が充填されて表示領域が形成され、表示領域において、一方の基板１０１に複数の信号ライン１０４および複数の走査ライン１０５が直交して形成され、複数の信号ライン１０４と複数の走査ライン１０５の各交点近傍に表示画素が形成される。この信号ライン１０４および走査ライン１０５が形成された基板１０１は他方の基板１０２に対して、例えば表示領域の右側および下側に突出部１０６を有し、該突出部１０６に信号ライン駆動用の半導体チップ１０８および走査ライン駆動用の半導体チップ１０７が配設され、それぞれ信号ライン１０４および走査ライン１０５に接続されるように構成されている。すなわち、一方の基板１０１は表示領域に対して２方向に突出されて半導体チップが設けられるように構成されていたため、表示領域の周囲の額縁領域が大きくなるという問題があった。また、基板１０１の外形が表示領域に対して左右非対象となっているため、例えばこの表示装置を携帯電話に搭載しようとした場合に、表示画面の位置を機器の左右均等な位置に設けるようにすることが難しくなるという問題があった。
【０００３】
このような問題に対して、表示装置の一方の基板の列方向の一辺部のみが他方の基板から突出され、該突出部に走査ラインおよび信号ラインが引き廻されて、該突出部上に信号ラインを駆動するための１個の半導体チップと走査ラインを駆動するための１個の半導体チップとを搭載するようにして、少なくとも表示領域左右の額縁領域を小さくするようにしたのがある（例えば、特許文献１参照）。
【０００４】
【特許文献１】特開２００１−９１９６７号公報
【発明の開示】
【発明が解決しようとする課題】
【０００５】
しかしながら、上記の一方の基板の列方向の一辺部のみが他方の基板から突出され、該突出部上に信号ラインを駆動用の１個の半導体チップと走査ラインを駆動用の１個の半導体チップとを搭載するようにした液晶表示装置では、行方向に配置された走査ラインと走査ライン駆動用の１個の半導体チップとを接続するための引き廻し線を表示領域の行方向一方側にのみ配置しているため、一方の基板の突出部上において、比較的狭い領域に多くの走査ライン引き廻し線が集中するため、各ラインを走査ライン駆動用の１個の半導体チップと接続するために要する配線の配置領域が列方向にある程度必要となる。このため、一方の基板の突出部の突出長が比較的大きくなってしまうという問題があった。
そこで、この発明は、一方の基板の突出部の突出長を小さくすることができる表示装置を提供することを目的とする。
【課題を解決するための手段】
【０００６】
請求項１に記載の発明は、互いに対向して配置された一対の第１の基板、および第２の基板を備え、対向して配置された前記第１の基板と前記第２の基板とによって表示領域が形成され、該表示領域において、前記第１の基板の、前記第２の基板との対向面上に複数の第１ラインおよび複数の第２ラインが行方向および列方向に延びて設けられ、前記第１の基板の、前記第２の基板との対向面上に、前記第１ラインを駆動するための、１個の第１の半導体チップと、前記第２ラインを駆動するための、１個の第２の半導体チップと、が搭載される表示装置において、前記第１の基板は、前記第２の基板に対して列方向の一辺部が突出した突出部を有し、該突出部に前記第１ラインを駆動するための１個の第１の半導体チップと、前記第２ラインを駆動するための１個の第２の半導体チップと、が行方向に直列的に搭載され、前記第１の基板は、前記表示領域の行方向両側に設けられた、前記第１ラインに接続される第１の引き廻し線および第２の引き廻し線と、前記第２の半導体チップ下に設けられた第３の引き廻し線と、を備え、少なくとも前記第１の半導体チップは、複数の出力端子を有し、前記表示領域の行方向一方側に設けられた前記第１の引き廻し線は、前記第１の半導体チップの、前記複数の出力端子の、一部の第１の出力端子に接続され、前記表示領域の行方向他方側に設けられた前記第２の引き廻し線は、前記第３の引き廻し線に接続され、該第３の引き廻し線を介して前記第１の半導体チップの、前記複数の出力端子の、前記第１の出力端子を除く第２の出力端子に接続されていることを特徴とするものである。
請求項２に記載の発明は、請求項１に記載の発明において、前記第１の半導体チップにおける前記第１の出力端子は、前記表示領域の行方向に平行な２辺のうち、前記表示領域に近接した側の一方の辺に沿い、前記表示領域の行方向一方側に形成され、前記第２の出力端子は、前記表示領域の行方向に平行な２辺のうち、前記表示領域から離間した側の他方の辺に沿い、前記表示領域の行方向他方側に形成されていることを特徴とするものである。
請求項３に記載の発明は、請求項２に記載の発明において、前記第１の半導体チップの前記他方の辺の、前記表示領域の行方向一方側に入力端子が設けられていることを特徴とするものである。
請求項４に記載の発明は、請求項１に記載の発明において、前記第１の半導体チップにおける前記第１の出力端子は、前記表示領域の行方向に平行な２辺のうち、前記表示領域に近接した側の一方の辺に沿い、前記表示領域の行方向一方側に形成され、前記第２の出力端子は、前記表示領域に近接した側の一方の辺に沿い、前記表示領域の行方向他方側に形成されていることを特徴とするものである。
請求項５に記載の発明は、請求項４に記載の発明において、前記第１の半導体チップの前記他方の辺の、前記表示領域の行方向一方側に入力端子が設けられていることを特徴とするものである。
請求項６に記載の発明は、請求項４に記載の発明において、前記第１の半導体チップの前記他方の辺の、前記表示領域の行方向他方側に入力端子が設けられていることを特徴とするものである。
請求項７に記載の発明は、請求項１に記載の発明において、前記第１の半導体チップにおける前記第１の出力端子は、前記表示領域の行方向に平行な２辺のうち、前記表示領域から離間した側の他方の辺に沿い、前記表示領域の行方向一方側に形成され、前記第２の出力端子は、前記表示領域の行方向に平行な２辺のうち、前記表示領域に近接した側の一方の辺に沿い、前記表示領域の行方向他方側に形成されていることを特徴とするものである。
請求項８に記載の発明は、請求項７に記載の発明において、前記第１の半導体チップの前記他方の辺の、前記表示領域の行方向他方側に入力端子が設けられていることを特徴とするものである。
請求項９に記載の発明は、請求項１に記載の発明において、前記第２の半導体チップは、複数の出力端子を有し、該第２の半導体チップの出力端子は、前記表示領域の行方向に平行な２辺のうち、前記表示領域に近接した側の辺に沿って形成されて、前記第２ラインに接続され、前記表示領域から離間した側の他方の辺に沿って入力端子が設けられていることを特徴とするものである。
請求項１０に記載の発明は、請求項１に記載の発明において、前記第３の引き廻し線は、前記突出部上の前記第２の半導体チップの列方向中央部下に設けられていることを特徴とするものである。
請求項１１に記載の発明は、請求項１に記載の発明において、前記第１ラインは走査ラインであり、前記第２ラインはデータラインであることを特徴とするものである。
請求項１２に記載の発明は、請求項１に記載の発明において、前記第１の引き廻し線は、前記複数の第１ラインの半数に接続され、前記第２の引き廻し線は、前記複数の第１ラインの残りの半数に接続されていることを特徴とするものである。
請求項１３に記載の発明は、請求項１に記載の発明において、前記第１の引き廻し線は、前記複数の第１ラインの偶数ライン、又は、奇数ライン、の何れか一方に接続され、前記第２の引き廻し線は、前記複数の第１ラインの偶数ライン、又は、奇数ライン、の他方に接続されていることを特徴とするものである。
そして、この発明によれば、表示領域に設けられた第１ラインに接続され、表示領域の行方向一方側に設けられた第１の引き廻し線を第１の半導体チップの第１の出力端子に接続させ、表示領域の行方向他方側に設けられた第１の引き廻し線を、突出部上の第２の半導体チップ下に設けられた第３の引き廻し線を介して第１の半導体チップの第２の出力端子に接続させているので、特に、表示領域の行方向一方側に設けられた第１の引き廻し線の、突出部上における配置領域を比較的小さくすることができ、また、第３の引き廻し線は、突出部上の第２の半導体チップ下に設けられるため、第３の引き廻し線の配置領域を列方向に専用に設ける必要はない。これにより、一方の基板の突出部の突出長を小さくすることができる。
【発明の効果】
【０００７】
以上説明したように、この発明によれば、表示領域に設けられた第１ラインに接続され、表示領域の行方向一方側に設けられた第１の引き廻し線を、第１の半導体チップの第１の出力端子に接続させ、表示領域の行方向他方側に設けられた第２の引き廻し線を、突出部上の第２の半導体チップ下に設けられた第３の引き廻し線を介して第１の半導体チップの第２の出力端子に接続させているので、特に、表示領域の行方向一方側に設けられた第１の引き廻し線の突出部上における配置領域を比較的小さくすることができ、また、第３の引き廻し線は、突出部上の第２の半導体チップ下に設けられるため、第３の引き廻し線の配置領域を列方向に専用に設ける必要はない。これにより、一方の基板の突出部の突出長を小さくすることができる。
【発明を実施するための最良の形態】
【０００８】
図１はこの発明の第１実施形態としての液晶表示装置の一例の、要部の平面図を示したものである。この液晶表示装置は、基板１と該基板１の上方に位置する対向基板２とがほぼ方形枠状のシール材（図示せず）を介して貼り合わされ、シール材の内側における両基板１、２間に液晶（図示せず）が封入されたものからなっている。
【０００９】
この場合、基板１の下辺部は対向基板２から突出されている。以下、この突出部を突出部１ａという。また、シール材は、二点鎖線で示す表示領域３の外側の対向基板２の４辺の側縁部に沿って配置されている。そして、基板１の行方向中央部は表示領域３とされ、その行方向両側は引き廻し線配置領域４、５とされている。
【００１０】
基板１上の表示領域３には、それぞれ、代表的に各２本づつのみが図示されているが、周知の如く、複数の走査ライン６および複数のデータライン７が行方向および列方向に延びて設けられている。両ライン６、７の各交点近傍には、図示していないが、両ライン６、７に接続された薄膜トランジスタおよびこの薄膜トランジスタによって駆動される画素電極がマトリクス状に配置されている。
【００１１】
基板１の突出部１ａの上面（対向基板２との対向面）の左側の所定の箇所には走査ライン６を駆動するための１個の第１の半導体チップ１１が搭載されている。基板１の突出部１ａの上面の中央部およびその右側の所定の箇所にはデータライン７を駆動するための第２の半導体チップ１２が搭載されている。すなわち、突出部１ａ上には２個の半導体チップ１１、１２が行方向に直列的に搭載されている。
【００１２】
走査ライン６のうちのほぼ上半分の左端部は、その左側の引き廻し線配置領域４に設けられた引き廻し線１３（第１の引き廻し線）を介して、後述の如く、第１の半導体チップ１１の出力端子の一部（第１の出力端子）（ここでは図示せず）に接続されている。走査ライン６のうちのほぼ下半分の右端部は、その右側の引き廻し線配置領域５に設けられた引き廻し線１４（第２の引き廻し線）および基板１の突出部１ａ上の第２の半導体チップ１２の列方向中央部下の所定の箇所に設けられた引き廻し線１５（第３の引き廻し線）を介して、後述の如く、第１の半導体チップ１１の、残りの出力端子（第２の出力端子）（ここでは図示せず）に接続されている。
【００１３】
なお、図１においては、上記のように、走査ライン６の上半分が、引き廻し線１３を介して、第１の半導体チップ１１の出力端子に接続され、走査ライン６の下半分が、引き廻し線１４および引き廻し線１５を介して、第１の半導体チップ１１の出力端子に接続されるものとしたが、これに限るものではなく、走査ライン６の下半分が、引き廻し線１３を介して、第１の半導体チップ１１の出力端子に接続され、走査ライン６の上半分が、引き廻し線１４および引き廻し線１５を介して、第１の半導体チップ１１の出力端子に接続されるようにしてもよく、更に、走査ライン６の偶数行、又は、奇数行のいずれか一方が、引き廻し線１３を介して、第１の半導体チップ１１の出力端子に接続され、走査ライン６の偶数行、又は、奇数行の他方が、引き廻し線１４および引き廻し線１５を介して、第１の半導体チップ１１の出力端子に接続されるようにしてもよい。
【００１４】
データライン７の下端部は、その下側に設けられた引き廻し線１６を介して、後述の如く、第２の半導体チップ１２の出力端子（ここでは図示せず）に接続されている。ここで、引き廻し線１３、引き廻し線１４、引き廻し線１５および引き廻し線１６は、それぞれ、その両端部についてのみ図示されており、その内側のものは全て図示が省略されている。
【００１５】
基板１の突出部１ａ上において第１の半導体チップ１１搭載領域の左半分の下側には外部接続端子１７が設けられている。基板１の突出部１ａ上において第２の半導体チップ１２搭載領域の下側には外部接続端子１８が設けられている。ここで、外部接続端子１７、１８は、それぞれ、その両端部についてのみ図示されており、その内側のものは全て図示が省略されている。
【００１６】
外部接続端子１７の上端部は、後述の如く、第１の半導体チップ１１の入力端子（ここでは図示せず）に接続されている。外部接続端子１８の上端部は、後述の如く、第２の半導体チップ１２の入力端子（ここでは図示せず）に接続されている。外部接続端子１７、１８の下端部にはフレキシブル配線板１９の一端部が接続されている。
【００１７】
次に、図２（Ａ）は基板１の第１の半導体チップ１１搭載領域の部分の一例の拡大平面図を示す。基板１の突出部１ａの上面において一点鎖線で囲まれた領域２１は、第１の半導体チップ１１が搭載される第１の半導体チップ搭載領域である。第１の半導体チップ搭載領域２１内の下辺部のほぼ左半分には、複数の外部接続端子１７の一端部からなる入力用接続端子２２が設けられている。
【００１８】
第１の半導体チップ搭載領域２１内の上辺部のほぼ左半分には、複数の引き廻し線１３の一端部からなる出力用接続端子２３（第１の出力端子）が設けられている。出力用接続端子２３には、図１において走査ライン６のうちのほぼ上半分を陽極酸化するための陽極酸化ライン２４の一端部が接続されている。陽極酸化ライン２４の他端部は、第１の半導体チップ搭載領域２１内を引き廻された後に、第１の半導体チップ搭載領域２１の左側に延出されて基板１の左端面まで延ばされている。
【００１９】
第１の半導体チップ搭載領域２１内の下辺部のほぼ右半分には、複数の引き廻し線１５の一端部からなる出力用接続端子２５（第２の出力端子）が設けられている。この場合、引き廻し線１５の他端部側は、第１の半導体チップ搭載領域２１内を引き廻された後に、第１の半導体チップ搭載領域２１の右側に延出されている（この延出部分については後で説明する。）。出力用接続端子２５には、図１において走査ライン６のうちのほぼ下半分を陽極酸化するための陽極酸化ライン２６の一端部が接続されている。陽極酸化ライン２６の他端部は、突出部１ａの突出端面まで延ばされている。
【００２０】
次に、図２（Ｂ）は第１の半導体チップ１１の端子位置を示すための透過拡大平面図を示す。第１の半導体チップ１１の下面の下辺部のほぼ左半分には複数の入力端子２７が設けられ、同下面の上辺部のほぼ左半分には複数の出力端子２８が設けられ、同下面の下辺部のほぼ右半分には複数の出力端子２９が設けられている。そして、第１の半導体チップ１１を第１の半導体チップ搭載領域２１上に搭載した状態では、端子２７、２８、２９はそれぞれ対応する接続端子２２、２３、２５に接続されている。
【００２１】
次に、図３（Ａ）は基板１の第２の半導体チップ１２搭載領域の部分の拡大平面図を示す。基板１の突出部１ａの上面において一点鎖線で囲まれた領域３１は、第２の半導体チップ１２が搭載される第２の半導体チップ搭載領域である。第２の半導体チップ搭載領域３１内の下辺部には、複数の外部接続端子１８の一端部からなる入力用接続端子３２が設けられている。第２の半導体チップ搭載領域３１内の上辺部には、複数の引き廻し線１６の一端部からなる出力用接続端子３３が設けられている。
【００２２】
第２の半導体チップ搭載領域３１内の幅方向（列方向）中央部には、図２（Ａ）に示すように、第１の半導体チップ搭載領域２１の右側に延出された引き廻し線１５が配置されている。この引き廻し線１５の他端部は、第２の半導体チップ搭載領域３１の右辺において引き廻し線１４に接続されている。
【００２３】
次に、図３（Ｂ）は第２の半導体チップ１２の端子位置を示すための透過拡大平面図を示す。第２の半導体チップ１２の下面の下辺部には複数の入力端子３４が設けられ、同下面の上辺部には複数の出力端子３５が設けられている。そして、第２の半導体チップ１２を第２の半導体チップ搭載領域３１上に搭載した状態では、端子３４、３５はそれぞれ対応する接続端子３２、３３に接続されている。
【００２４】
以上のように、この液晶表示装置では、図１に示すように、走査ライン６のほぼ上半分を表示領域３の左側に設けられた引き廻し線１３を介して第１の半導体チップ１１の下面に設けられた出力端子２８（図２（Ｂ））に接続し、走査ライン６のほぼ下半分を表示領域３の右側に設けられた引き廻し線１４および突出部１ａ上の第２の半導体チップ１２下に設けられた引き廻し線１５を介して第１の半導体チップ１１の下面に設けられた出力端子２９（図２（Ｂ））に接続している。
【００２５】
このような構造であると、特に、表示領域３の左側に設けられた引き廻し線１３の突出部１ａ上における配置領域を比較的小さくすることができる。また、突出部１ａ上の引き廻し線１５は第２の半導体チップ１２下に設けられているため、引き廻し線１５の配置領域を列方向に専用に設ける必要がない。これにより、基板１の突出部１ａの突出長を小さくすることができる。
【００２６】
なお、上記実施形態では、図２（Ａ）に示すように、第１の半導体チップ搭載領域２１内の下辺部のほぼ左半分に入力用接続端子２２を設け、上辺部のほぼ左半分と下辺部のほぼ右半分とに出力用接続端子２３、２５を設けているが、これに限定されるものではない。
【００２７】
例えば、図４（Ａ）に示すこの発明の第２実施形態のように、第１の半導体チップ搭載領域２１内の下辺部のほぼ左半分に入力用接続端子２２を設け、上辺部のほぼ左半分と上辺部のほぼ右半分とに出力用接続端子２３、２５を設けるようにしてもよい。この場合、図４（Ｂ）に示すように、第１の半導体チップ１１の下面の下辺部のほぼ左半分に入力端子２７を設け、上辺部のほぼ左半分と上辺部のほぼ右半分とに出力端子２８、２９を設ければよい。
【００２８】
また、図５（Ａ）に示すこの発明の第３実施形態のように、第１の半導体チップ搭載領域２１内の下辺部のほぼ右半分に入力用接続端子２２を設け、上辺部のほぼ左半分と上辺部のほぼ右半分とに出力用接続端子２３、２５を設けるようにしてもよい。この場合、図５（Ｂ）に示すように、第１の半導体チップ１１の下面の下辺部のほぼ右半分に入力端子２７を設け、上辺部のほぼ左半分と上辺部のほぼ右半分とに出力端子２８、２９を設ければよい。
【００２９】
さらに、例えば、図１に示す状態に対して、左右を逆にして配置した形態としてもよい。すなわち、基板１の突出部１ａ上の右側に第１の半導体チップ１１を搭載し、中央部および左側に第２の半導体チップ１２を搭載するようにして、図６（Ａ）に示すこの発明の第４実施形態のように、第１の半導体チップ搭載領域２１内の下辺部のほぼ右半分に入力用接続端子２２を設け、下辺部のほぼ左半分と上辺部のほぼ右半分とに出力用接続端子２３、２５を設けるようにしてもよい。この場合、図６（Ｂ）に示すように、第１の半導体チップ１１の下面の下辺部のほぼ右半分に入力端子２７を設け、下辺部のほぼ左半分と上辺部のほぼ右半分とに出力端子２８、２９を設ければよい。
【図面の簡単な説明】
【００３０】
【図１】この発明の第１実施形態としての液晶表示装置の要部の平面図。
【図２】（Ａ）は第１の半導体チップ搭載領域の部分の拡大平面図、（Ｂ）は第１の半導体チップの端子位置を示すための透過拡大平面図。
【図３】（Ａ）は第２の半導体チップ搭載領域の部分の拡大平面図、（Ｂ）は第２の半導体チップの端子位置を示すための透過拡大平面図。
【図４】（Ａ）、（Ｂ）はそれぞれこの発明の第２実施形態を説明するために示す図２（Ａ）、（Ｂ）同様の拡大平面図および透過拡大平面図。
【図５】（Ａ）、（Ｂ）はそれぞれこの発明の第３実施形態を説明するために示す図２（Ａ）、（Ｂ）同様の拡大平面図および透過拡大平面図。
【図６】（Ａ）、（Ｂ）はそれぞれこの発明の第４実施形態を説明するために示す図２（Ａ）、（Ｂ）同様の拡大平面図および透過拡大平面図。
【図７】従来の液晶表示装置の構成の一例の要部を示す平面図。
【符号の説明】
【００３１】
１  基板
１ａ  突出部
２  対向基板
３  表示領域
４、５  引き廻し線配置領域
６  走査ライン
７  データライン
１１  第１の半導体チップ
１２  第２の半導体チップ
１３〜１６  引き廻し線
１７、１８  外部接続端子
１９  フレキシブル配線板
【図１】
2008262197.tif 000003
【図２】
2008262197.tif 000004
【図３】
2008262197.tif 000005
【図４】
2008262197.tif 000006
【図５】
2008262197.tif 000007
【図６】
2008262197.tif 000008
【図７】
2008262197.tif 000009
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
第１の基板と第２の基板とが対向配置され、
表示領域の行方向に延びる複数の第１ラインの何れかを前記行方向における一方の側から前記表示領域外に引き出すとともに他の第１ラインを前記行方向における他方の側から前記表示領域外に引き出し、
前記表示領域の列方向に延びる第２ラインを前記列方向における所定の側から前記表示領域外に引き出す表示装置において、
前記第２ラインを前記表示領域外に引き出す側の前記第１の基板上に、
前記一方の側から引き出される第１ラインに電気的に接続される第１の出力用接続端子と、
前記他方の側から引き出される第１ラインに電気的に接続される第２の出力用接続端子と、
前記第２ラインに電気的に接続される第３の出力用接続端子と、
を有し、
前記第１の出力用接続端子、前記第２の出力用接続端子及び前記第３の出力用接続端子は、それぞれ前記行方向に沿って配列され、
前記第１の出力用接続端子は、前記第２の出力用接続端子よりも前記表示領域側に配置され、
前記第２の出力用接続端子は、前記第１の出力用接続端子よりも前記第３の出力用接続端子側に配置されるとともに、前記第３の出力用接続端子側から引き廻されてくる配線を介して前記他方の側から引き出される第１ラインに電気的に接続されていることを特徴とする表示装置。
【請求項２】
前記第１の出力用接続端子及び前記第２の出力用接続端子は、前記複数の第１ラインを駆動する第１の半導体チップを搭載する第１の搭載領域に配置され、
前記第３の出力用接続端子は、前記第２ラインを駆動する第２の半導体チップを搭載する第２の搭載領域に配置されていることを特徴とする請求項１に記載の表示装置。
【請求項３】
前記第１の出力用接続端子及び前記第２の出力用接続端子は、前記第１の基板の端部から延伸される所定の配線上に形成されていることを特徴とする請求項１または２に記載の表示装置。
【手続補正２】
【補正対象書類名】明細書
【補正対象項目名】０００６
【補正方法】変更
【補正の内容】
【０００６】
請求項１に記載の発明は、第１の基板と第２の基板とが対向配置され、表示領域の行方向に延びる複数の第１ラインの何れかを前記行方向における一方の側から前記表示領域外に引き出すとともに他の第１ラインを前記行方向における他方の側から前記表示領域外に引き出し、前記表示領域の列方向に延びる第２ラインを前記列方向における所定の側から前記表示領域外に引き出す表示装置において、前記第２ラインを前記表示領域外に引き出す側の前記第１の基板上に、前記一方の側から引き出される第１ラインに電気的に接続される第１の出力用接続端子と、前記他方の側から引き出される第１ラインに電気的に接続される第２の出力用接続端子と、前記第２ラインに電気的に接続される第３の出力用接続端子と、を有し、前記第１の出力用接続端子、前記第２の出力用接続端子及び前記第３の出力用接続端子は、それぞれ前記行方向に沿って配列され、前記第１の出力用接続端子は、前記第２の出力用接続端子よりも前記表示領域側に配置され、前記第２の出力用接続端子は、前記第１の出力用接続端子よりも前記第３の出力用接続端子側に配置されるとともに、前記第３の出力用接続端子側から引き廻されてくる配線を介して前記他方の側から引き出される第１ラインに電気的に接続されていることを特徴とするものである。
請求項２に記載の発明は、請求項１に記載の発明において、前記第１の出力用接続端子及び前記第２の出力用接続端子は、前記複数の第１ラインを駆動する第１の半導体チップを搭載する第１の搭載領域に配置され、前記第３の出力用接続端子は、前記第２ラインを駆動する第２の半導体チップを搭載する第２の搭載領域に配置されていることを特徴とするものである。
請求項３に記載の発明は、請求項１または２に記載の発明において、前記第１の出力用接続端子及び前記第２の出力用接続端子は、前記第１の基板の端部から延伸される所定の配線上に形成されていることを特徴とするものである。
そして、この発明によれば、基板の突出部の突出長を小さくすることができる。
【手続補正３】
【補正対象書類名】明細書
【補正対象項目名】０００７
【補正方法】変更
【補正の内容】
【０００７】
この発明によれば、基板の突出部の突出長を小さくすることができる。